(57)【特許請求の範囲】
【請求項１】
ディジタル放送の一の伝送路により送信側から放送される、番組の映像と、当該伝送路以外の伝送路で放送される当該番組の同一番組を特定する同一番組特定情報をイベント情報テーブル（ＥＩＴ）に配置した番組配列情報（ＳＩ）とを受信する受信装置において、
複数の伝送路からの放送信号を受信する受信手段と、
前記複数の伝送路のうち、第１の伝送路により放送される番組に含まれる第１のイベント情報テーブル（ＥＩＴ）を抽出するトランスポートデコード手段と、
前記第１のイベント情報テーブルから第１の同一番組特定情報を取得する制御手段とを備え、
前記制御手段は、前記第１の伝送路により放送される番組から選択された第１の番組が、既予約番組と時間的に重複するか否かを、当該第１の番組に含まれるＰＳＩを基に判断し、
重複したと判断された場合、前記複数の伝送路のうち前記第１の伝送路とは異なる第２の伝送路により放送される番組に含まれるイベント情報テーブルと、前記第１の同一番組特定情報とに基づいて、既予約番組と時間的に重複しない同一番組の存在を確認し、
前記同一番組が、前記第２の伝送路により放送される番組中に存在すると確認された場合、前記同一番組の録画予約を自動的に行うことを特徴とする受信装置。
【請求項２】
請求項１に記載の受信装置において、
前記番組の映像または前記制御手段で取得された前記同一番組特定情報より抽出した情報を配置して画面を作成する映像合成手段をさらに有し、
前記制御手段は、選択された番組が既予約番組と時間的に重複するか否かを判断し、重複したとき前記同一番組特定情報に基づいて、既予約番組と時間的に重複しない同一番組の存在を確認し、前記同一番組が存在するとき、前記映像合成手段は、前記同一番組の選択への切り替えを促すメッセージを表示するものであることを特徴とする受信装置。
【発明の詳細な説明】
【０００１】
【発明の属する技術分野】
本発明は、複数の伝送路で放送される同一番組のリンク情報を送出するディジタル放送方法によって放送されるデジタル放送を受信する受信装置に関するものである。
受信装置に関するものである。
【０００２】
【従来の技術】
従来、アナログ放送において、たとえばＮＨＫ総合やＮＨＫ教育の地上波放送において放送した番組を、後日，あるいは放送時刻を異にして、ＮＨＫ衛星第一や第二のＢＳ放送において再放送するように、同一番組を複数の伝送路で放送することが行なわれている。
【０００３】
ところで、ディジタル放送において、番組として数十から数百のチャンネルを提供する，多チャンネル放送が実用段階に入っている。多チャンネル化が進めば、上述のアナログ放送で同一番組が後日複数の伝送路で放送されるようなことが、ディジタル放送でもチャンネルが増えれば増えるほど、頻繁に行なわれる可能性が高くなる。また、同一番組が、放送日や放送時刻を異にして複数の伝送路で放送されるだけでなく、同時刻に、複数の伝送路で放送されるようなことも想定される。したがって、同一番組が同日に放送時刻を異にして放送される場合、視聴者は、ある伝送路で放送された当該番組を見逃しても、その日のうちに別の伝送路で放送される当該番組を視聴することができ、また、複数の番組を録画予約するときにも、録画時刻が重ならない時刻に放送される同一番組を選択することができる。さらに、同時刻に複数の伝送路で放送される場合、たとえば降雨などの理由で衛星電波のＣＮ比（Carrier to Noise Ratio）が落ちて受信不能になったときでも、受信を地上波に切り替えれば視聴することが可能で、同様に、地上波での電波事情が悪化したときには、衛星へ切り替えることもできる。このように、視聴者は、視聴または録画時に、ＣＮ比の良い方を選んで視聴または録画を開始できる。
【０００４】
【発明が解決しようとする課題】
しかしながら、多チャンネルディジタル放送において、複数の伝送路で、それぞれ数百もあるチャンネルのうち、同一番組がどのチャンネルで何時から放送されるかを捜し出す作業は、視聴者にとって過大な負担であり、困難窮まりない。また、録画開始時刻および終了時刻が重ならない時刻に放送される同一番組を選択して予約すれば、重複なく録画することができる場合であっても、予約したい多数の番組のそれぞれが複数の放送時刻に放送されるようなときには、相互に適切な放送時刻の番組を選択することは極めて複雑なものである。さらに、同時刻に複数の伝送路で放送される同一番組について視聴する場合であれば、視聴者は、各伝送路で放送される番組を見て受信状態を比較することができるが、録画時には自動的に上記同一番組のＣＮ比などを比較して良い伝送路のものを録画できなければならない。
【０００５】
本発明は、かかる問題点を解決するためになされたもので、複数伝送路で同一番組を放送する場合に、それらのリンク情報を送出することで、番組視聴，番組録画の機会を逸しないユーザインタフェースを実現するディジタル放送方法によって放送されるデジタル放送を受信する受信装置を提供することを目的とする。
【０００６】
【課題を解決するための手段】
上記課題を解決するために、本発明（請求項１）にかかる受信装置は、ディジタル放送の一の伝送路により送信側から放送される、番組の映像と、当該伝送路以外の伝送路で放送される当該番組の同一番組を特定する同一番組特定情報をイベント情報テーブル（ＥＩＴ）に配置した番組配列情報（ＳＩ）とを受信する受信装置において、複数の伝送路からの放送信号を受信する受信手段と、前記複数の伝送路のうち、第１の伝送路により放送される番組に含まれる第１のイベント情報テーブル（ＥＩＴ）を抽出するトランスポートデコード手段と、前記第１のイベント情報テーブルから第１の同一番組特定情報を取得する制御手段とを備え、前記制御手段は、前記第１の伝送路により放送される番組から選択された第１の番組が、既予約番組と時間的に重複するか否かを、当該第１の番組に含まれるＰＳＩを基に判断し、重複したと判断された場合、前記複数の伝送路のうち前記第１の伝送路とは異なる第２の伝送路により放送される番組に含まれるイベント情報テーブルと、前記第１の同一番組特定情報とに基づいて、既予約番組と時間的に重複しない同一番組の存在を確認し、前記同一番組が、前記第２の伝送路により放送される番組中に存在すると確認された場合、前記同一番組の録画予約を自動的に行うものである。
【０００７】
また、本発明（請求項２）にかかる受信装置は、請求項１に記載の受信装置において、前記番組の映像または前記制御手段で取得された前記同一番組特定情報より抽出した情報を配置して画面を作成する映像合成手段をさらに有し、前記制御手段は、選択された番組が既予約番組と時間的に重複するか否かを判断し、重複したとき前記同一番組特定情報に基づいて、既予約番組と時間的に重複しない同一番組の存在を確認し、前記同一番組が存在するとき、前記映像合成手段は、前記同一番組の選択への切り替えを促すメッセージを表示するものである。
【００１６】
【発明の実施の形態】
以下、本発明の実施の形態を添付図面に基づき詳細に説明する。
実施の形態．
図１は本発明の実施の形態によるディジタル放送方法における送信側の構成の概略を示すブロック図である。図において、１１は番組配列情報（ＳＩ）を生成する番組配列情報生成部、１２は放送番組のための映像を生成する映像生成部、１３は同じく音声を生成する音声生成部、１４は番組配列情報生成部１１，映像生成部１２，及び音声生成部１３でそれぞれ生成された番組配列情報（ＳＩ），映像，及び音声を多重化して１本のトランスポートストリームにする多重化部、１５はトランスポートストリームのディジタル情報を搬送波に乗せる変調器、１６は搬送波を通信衛星等を介して受信側に伝送するアンテナである。
【００１７】
図２は、図１における番組配列情報生成部の構成を示すブロック図である。図において、２１は後述するデータ構造を有するevent link descriptor を生成するevent link descriptor 生成部、２２はevent link descriptor 以外の，イベント情報テーブル（ＥＩＴ）に配置するdescriptorを生成するその他のdescriptor生成部、２３はevent link descriptor およびその他のdescriptorを配置してＥＩＴを生成するＥＩＴ生成部、２４は番組配列情報（ＳＩ）を構成する，ＥＩＴを除くその他のテーブルを生成するその他のテーブル生成部、２５はＥＩＴおよびその他のテーブルを多重化して番組配列情報（ＳＩ）を構成するＳＩ多重化部である。
【００１８】
ここで、上記番組配列情報（ＳＩ），イベント情報テーブル（ＥＩＴ），及びその他のテーブルについては、社団法人電波産業会の規格で定義されているものであり、上記番組配列情報（ＳＩ）には、ユーザがサービスやイベントを識別するために必要なデータの符号化が定義されている。このデータは６つのテーブルで構成され、その１つがＥＩＴであり、残りの５つが上記その他のテーブルである。該ＥＩＴは、イベント名，開始時刻，継続時間など、イベントやプログラムに関するデータを含み、異なる記述子を使うことにより異なる種類のイベント情報の伝送を可能とする。そこで、本発明の実施の形態においては、該ＥＩＴにevent link descriptor なる記述子を設定して、当該ＥＩＴが含まれるトランスポートストリームが伝送される伝送路で放送される番組と、同一の番組が異なる伝送路で放送される旨のリンク情報を記述する。
【００１９】
図３は、図２のevent link descriptor 生成部において番組配列情報（ＳＩ）のイベント情報テーブル（ＥＩＴ）に配置するデータの構造を示す図である。図において、３１はevent link descriptor であり、上述のように同一番組が異なる伝送路で放送される旨のリンク情報を記述するために設定した記述子である。３２は社団法人電波産業会の規格で記述することが規定され、event link descriptor の識別番号を示したり、後続の記述子の全バイト長を規定している。３３はarea code であり、地域コードであって、同一番組を受信可能な地域を示す。これにより、地域による電波状況に対応した地域ごとの制御が可能になる。３４はlink media id であり、同一番組の属する伝送路（地上波，衛星など）を示す。３５はlink network id であり、同一番組の属する事業単位のネットワークを識別するものである。３６はlink transportstream id であり、同一番組の属するトランスポートストリーム（ＴＳ）を示す。３７はlink service id であり、同一番組の属するサービス（１００ｃｈ，１０３ｃｈなど）を示す。３８はlink event id であり、イベント（番組）を識別するものである。３９はshift timeであり、異なる伝送路での番組の開始時刻，あるいは当該伝送路での番組の開始時刻と異なる伝送路での番組の開始時刻との時間差を示す。４１はanalog channel number であり、アナログ放送で同一番組を放送する場合のアナログチャンネル番号を示す。
【００２０】
図３に示すように、link media id がディジタルか、あるいはアナログの伝送路かによって、用いる記述子が異なる。すなわち、ディジタルの場合、link network id ３５，link transportstream id ３６，link service id ３７，及びlink event id ３８を、アナログの場合は、analog channel number ４１を用い、shift time３９については、いずれにも用いられる。
【００２１】
次に送信側装置の動作について、図１および図２に沿って説明する。
まず、event link descriptor 生成部２１において、図３に示したデータ構造を有するevent link descriptor を生成する。該event link descriptor を、その他のdescriptor生成部２２で生成したdescriptorとともに配置して、ＥＩＴ生成部２３にてＥＩＴを生成する。該ＥＩＴと、その他のテーブル生成部２４で生成したテーブルとを、ＳＩ多重化部２５で多重化して番組配列情報（ＳＩ）を構成する。ここまでが番組配列情報生成部１１における動作である。また、番組の映像および音声が、それぞれ映像生成部１２および音声生成部１３で生成される。生成されたＳＩ，映像および音声は、多重化部１４で多重化されて１本のトランスポートストリームとして変調器１５に送られる。変調器１５は該トランスポートストリームの情報を搬送波に乗せ、該搬送波はアンテナ１６から通信衛星を介して受信側に伝送される。
【００２２】
なお、該トランスポートストリームには４〜８チャンネル程度の番組が多重化されるので、映像生成部１２および音声生成部１３は、それぞれ番組数だけ必要である。
【００２３】
このようにして、本発明の実施の形態によるディジタル放送方法は、ＥＩＴに同一番組についての情報を記述したevent link descriptor を配置した番組配列情報（ＳＩ）を多重化したトランスポートストリームを伝送するものとしたから、受信側で上記event link descriptor を利用すれば、視聴者に選択した番組とは異なる伝送路で放送される同一番組についての情報を提示して、選択の幅を広げることができる。
【００２４】
図４は本発明の実施の形態によるディジタル放送受信装置の構成を示すブロック図であり、図において、５１はＢＳ受信部であり、ディジタル衛星放送（ＢＳ）を受信するパラボラアンテナで、トランスポートストリームの信号を受信する。５２はＢＳ復調部であり、ディジタル変調を受けた衛星（ＢＳ）放送信号を復調する。５３はＢＳ−ＦＥＣ部であり、ディジタルＢＳ放送のビット誤りを正すための誤り訂正符号を使用して、伝送路の誤りを正す。５４はＢＳ−ＰＳＩ抽出部であり、ＢＳ−ＦＥＣ部５３で誤り訂正されたトランスポートストリームのＰＳＩ（Program Specific Information，プログラム使用情報）を抽出する。このＰＳＩはＭＰＥＧ規格に含まれ、多重化された多様なプログラムストリームを、受信装置が自動的に多重解除してデコードする機能を実現するための情報を提供するものである。５５は地上波受信部であり、地上波ディジタル放送を受信するアンテナで、トランスポートストリームの信号を受信する。５６は地上波復調部であり、ディジタル変調を受けた地上波放送信号を復調する。５７は地上波ＦＥＣ部であり、地上波ディジタル放送のビット誤りを正すための誤り訂正符号を使用して伝送路の誤りを正す。５８は地上波ＰＳＩ抽出部であり、地上波ＦＥＣ部５７で誤り訂正されたトランスポートストリームのＰＳＩを抽出する。５９は入力部であり、ユーザが視聴または予約を希望する伝送路での番組を選択して入力する。６０は制御部であり、入力部５９の入力内容を受けてセレクタに伝送路の切り替えを指示したり、トランスポートデコード部で抽出されるＳＩのＥＩＴを解析する。６１はセレクタであり、制御部６０の指示によりトランスポートデコード部へ出力する伝送路を切り替える。６２はトランスポートデコード部であり、ＳＩのＥＩＴを抽出し、該ＥＩＴを解析した制御部６０の指示により、選択した伝送路での番組の開始時刻にパケット識別子（ＰＩＤ）フィルタの設定を入れ替えて、当該伝送路において番組が提供されるチャンネルに対応するＰＩＤを有する，トランスポートストリームのパケットを抽出する。６３は映像デコード部であり、トランスポートデコード部６２で抽出されたパケットのうち映像のパケットのデータを復号する。６４は音声デコード部であり、同じく音声のパケットのデータを復号する。６５は音声出力部であり、音声を出力するスピーカである。６６は映像合成部であり、映像デコード部６３から出力される映像に、制御部６０で解析された内容を受けて同一番組が放送される伝送路，放送開始時刻等を知らせるメッセージを配置して画面を作成するＯＳＤ（On Screen Display ）である。６７は映像合成部６６で合成された画面を表示する映像表示部である。
【００２５】
次に本発明の実施の形態におけるディジタル放送受信装置の動作について、同一番組が複数の伝送路で、放送開始時刻を異にして，あるいは同時に放送されるなどの場合に応じて、実施例１〜５に分けて説明する。
【００２６】
（実施例１）
実施例１では複数の伝送路で放送開始時刻を異にして放送される同一番組（タイムシフト番組）を視聴する場合について説明する。
視聴者がある番組を視聴するとき、リモコンなどによって当該番組が提供されるチャンネル（たとえばディジタルＢＳ放送の１０２ｃｈ）を選択をすると、入力部５９は選択内容を制御部６０に出力する。制御部６０はこの選択内容を受けて、まず、ＢＳ受信部５１にトランスポートストリームの受信を開始させて、該トランスポートストリームの信号のディジタル変調をＢＳ復調部５２に復調させ、ＢＳ−ＦＥＣ部にビット誤りを訂正させ、ＢＳ−ＰＳＩ抽出部５４には該トランスポートストリームからＰＳＩを抽出させる。また、制御部６０は、トランスポートデコード部６２がＢＳ−ＰＳＩ抽出部５４からの出力を受けとるように、セレクタ６１を切り替え、トランスポートデコード部６２で抽出された番組配列情報（ＳＩ）の中の当該番組が記述されたＥＩＴからevent link descriptor を解析し、同一番組がどこにあるか（伝送路およびチャンネルと、放送開始時刻），たとえば地上波ディジタル放送において７８ｃｈで２０：００から放送が開始，を認識する。このとき受信するトランスポートストリームは、受信装置がこの視聴の前に受信していたトランスポートストリームであって、選択した番組が含まれるトランスポートストリームとは限らない。これは、ＡＲＩＢによる規格によって、各トランスポートストリームには、当該トランスポートストリームに含まれる番組（イベント）に関するデータを記述したＥＩＴだけでなく、当該トランスポートストリームに含まれて送出される予定の未来のイベントについてのＥＩＴや、他のトランスポートストリームに含まれる，あるいは含まれる予定のイベントについてのＥＩＴも有しているので、選択した番組が含まれないトランスポートストリームからでも、選択した番組についてのＥＩＴを抽出することが可能である。この認識した情報を、映像合成部６６に出力して、ＥＰＧソフトによってＥＰＧ画面上に書き込ませ、これを映像表示部６７が画面表示する。そして、視聴者が地上波ディジタル放送による番組を視聴する場合、リモコン等に視聴予約することになる。あるいは、そのままディジタルＢＳ放送による番組を視聴する場合には、制御部６０は抽出したＰＳＩより当該ｃｈ番号が含まれるトランスポートストリームを認識して、ＢＳ受信部５１に該トランスポートストリームの受信を指示するとともに、ＢＳ復調部５２に該トランスポートストリームの信号のディジタル変調を復調させ、ＢＳ−ＦＥＣ部にビット誤りを訂正させる。そして、上記ＰＳＩにより、トランスポートデコード部６２はＰＩＤフィルタを設定して、上記番組の映像および音声のパケットを抽出し、映像デコード部６３および音声デコード部６４で復号して当該番組の放映が開始される。
【００２７】
このようにして、選択した番組が既に放送を開始している場合、視聴者は別の伝送路で後から放送される同一番組を選択して視聴することができ、また、今から番組を視聴しようとしていたが、別の伝送路で後から放送される同一番組があれば、その時間に視聴することがより好ましい場合、視聴者は後から放送される方を選択することができる。このように、視聴者にとっては選択の幅が広がり、より好ましい時間に番組を視聴することが可能となる。
【００２８】
（実施例２）
実施例２では受信状態によって異なる伝送路で放送開始時刻を異にして放送される同一番組（タイムシフト番組）に変更するものについて説明する。
実施例１と同様にして、視聴者がある番組を視聴するとき、リモコンなどによって当該番組が提供されるチャンネル（たとえば地上波ディジタル放送の７８ｃｈ）を選択すると、入力部５９は選択内容を制御部６０に出力する。制御部６０はこの選択内容を受けて、地上波受信部５５に当該チャンネルが含まれるトランスポートストリームの受信を開始させて、該トランスポートストリームの信号のディジタル変調を地上波復調部５６に復調させ、地上波ＦＥＣ部５７にビット誤りを訂正させ、地上波ＰＳＩ抽出部５８には該トランスポートストリームからＰＳＩを抽出させる。また、制御部６０は、トランスポートデコード部６２が地上波ＰＳＩ抽出部５８からの出力を受けとるように、セレクタ６１を切り替え、トランスポートデコード部６２で抽出された番組配列情報（ＳＩ）の中の当該番組が記述されたＥＩＴからevent link descriptor を解析し、同一番組がどこにあるか（伝送路およびチャンネルと、放送開始時刻），たとえばディジタルＢＳ放送において１０３ｃｈで２１：１５から放送開始や、地上波アナログ放送の６ｃｈで１９：４０から放送開始などを認識する。実施例２では、このとき、地上波復調部５６で、受信状態（ＢＥＲ：ビットエラーレートなど）をチェックし、ある閾値以上であれば、制御部６０は認識した情報を、映像合成部６６に送出して、ＥＰＧソフトによってＥＰＧ画面上に書き込ませ、これを映像表示部６７が画面表示する。上記ＥＰＧ画面上には、上記情報を視聴者にタイムシフト番組の視聴を促すようなメッセージとして書き込む。視聴者がディジタルＢＳ放送や，地上波アナログ放送による番組を視聴する場合には、リモコン等に視聴予約する。
【００２９】
このようにして、視聴者は受信状態の悪い時間帯や伝送路で番組を視聴しなくても、受信状態のよいタイムシフト番組を視聴することができる。
なお、タイムシフト番組の提供先がディジタル放送である場合には、ある閾値以上のとき、タイムシフト番組がある旨の表示をすることなく、該タイムシフト番組を自動的に予約するようにすることもできる。これによれば、視聴者不在での録画時においても、受信状態のよいタイムシフト番組を録画して、録画に失敗することを回避できる。
【００３０】
（実施例３）
実施例３では複数の伝送路で放送開始時刻を異にして放送される同一番組（タイムシフト番組）の放送時間と、既予約番組との時間的重複をチェックするものについて説明する。
【００３１】
実施例１および２と同様にして、視聴者がある番組を視聴するとき、リモコンなどによって当該番組が提供されるチャンネル（たとえば地上波ディジタル放送の７８ｃｈ）を選択をすると、入力部５９は選択内容を制御部６０に出力する。制御部６０はこの選択内容を受けて、まず、地上波受信部５５にトランスポートストリームの受信を開始させて、該トランスポートストリームの信号のディジタル変調を地上波復調部５６に復調させ、地上波ＦＥＣ部５７にビット誤りを訂正させ、地上波ＰＳＩ抽出部５８には該トランスポートストリームからＰＳＩを抽出させる。制御部６０は、該ＰＳＩから当該番組の放送終了時刻を取得し、既に予約されている番組と時間的に重複していないかを見る。重複していれば、トランスポートデコード部６２が地上波ＰＳＩ抽出部５８からの出力を受けとるように、セレクタ６１を切り替え、トランスポートデコード部６２で抽出されたＳＩの中の当該番組が記述されたＥＩＴからevent link descriptor を解析し、同一番組がどこにあるか（伝送路およびチャンネルと、放送開始時刻），たとえばディジタルＢＳ放送において１０３ｃｈで２１：１５から放送開始，を認識し、既に予約されている番組と時間的に重複していないかをみる。重複していないと判断した場合、制御部６０は認識した情報を、映像合成部６６に送出して、ＥＰＧソフトによってＥＰＧ画面上に書き込ませ、これを映像表示部６７が画面表示する。上記ＥＰＧ画面上には、上記情報を、視聴者に視聴選択した番組と、既予約番組との放送時間が重複するためタイムシフト番組の視聴を促すようなメッセージとして書き込む。
【００３２】
あるいは、視聴者があるディジタルＢＳ放送の番組を予約（視聴予約または録画予約）するときであれば、リモコンなどによって当該番組が提供されるチャンネル，並びに当該番組の放送開始時刻および放送終了時刻を入力すると、入力部５９は入力内容を制御部６０に出力する。制御部６０は、この選択内容を受けて、既に予約されている番組と時間的に重複していないかをみて、重複していると判断した場合、予約したい番組のタイムシフト番組が存在するか否かをみる。すなわち、ＢＳ受信部５１にトランスポートストリームの受信を開始させて、該トランスポートストリームの信号のディジタル変調をＢＳ復調部５２に復調させ、ＢＳ−ＦＥＣ部にビット誤りを訂正させ、ＢＳ−ＰＳＩ抽出部５４には該トランスポートストリームからＰＳＩを抽出させる。そして、トランスポートデコード部６２がＢＳ−ＰＳＩ抽出部５４からの出力を受けとるように、セレクタ６１を切り替え、トランスポートデコード部６２で抽出されたＳＩの中の当該番組が記述されたＥＩＴからevent link descriptor を解析する。ここで、上述のように、各トランスポートストリームには、他のトランスポートストリームに含まれる，あるいは含まれる予定のイベントについてのＥＩＴも有しているので、予約したい番組が提供されるチャンネルが含まれないトランスポートストリームに含まれる番組を視聴しているときであっても、該トランスポートストリームから予約したい番組についてのＥＩＴを抽出することが可能である。このように、制御部６０は、解析結果より、同一番組がどこにあるかの情報を認識し、認識した情報を、映像合成部６６に送出して、ＥＰＧソフトによってＥＰＧ画面上に書き込ませ、これを映像表示部６７が画面表示する。上記ＥＰＧ画面上には、上記情報を、視聴者に既予約番組と放送時間が重複するためタイムシフト番組の予約を促すようなメッセージとして書き込む。あるいは、タイムシフト番組があるので該タイムシフト番組を予約する旨の表示をして、当該タイムシフト番組を自動的に予約するようにする。
【００３３】
このようにして、複数の番組を予約するときであっても、タイムシフト番組から相互に適切な放送開始時刻および終了時刻のものを自動的に選択して、放送が重複することなく、容易に予約することが可能である。
【００３４】
（実施例４）
実施例４では受信状態が悪化したときに、異なる伝送路で同時放送される同一番組に切り替えるものについて説明する。
実施例２と同様にして、視聴者がある番組を視聴するとき、リモコンなどによって当該番組が提供されるチャンネル（たとえば地上波ディジタル放送の７８ｃｈ）を選択すると、入力部５９は選択内容を制御部６０に出力する。制御部６０はこの選択内容を受けて、地上波受信部５５に当該チャンネルが含まれるトランスポートストリームの受信を開始させ、該トランスポートストリームの信号のディジタル変調を地上波復調部５６に復調させ、地上波ＦＥＣ部５７にビット誤りを訂正させ、地上波ＰＳＩ抽出部５８には該トランスポートストリームからＰＳＩを抽出させる。また、セレクタ６１にはトランスポートデコード部６２への出力を地上波ＰＳＩ抽出部５８からのものに切り替えさせる。そして、上記ＰＳＩにより、トランスポートデコード部６２はＰＩＤフィルタを設定して、上記番組の映像および音声のパケットを抽出し、映像デコード部６３および音声デコード部６４で復号して当該番組の放映が開始される。このとき、地上波復調部５６で、受信状態（ＢＥＲ：ビットエラーレート）をチェックしておくとともに、制御部６０は、トランスポートデコード部６２で抽出されるＳＩの中の当該番組が記述されたＥＩＴからevent link descriptor を解析し、同一番組がどこにあるか（伝送路およびチャンネルと、同時放送であること），たとえばディジタルＢＳ放送において１０３ｃｈで同時放送中であることを認識する。ここで、同時放送中であることは、event link descriptor ３１のshift time３９に開始時刻が記述されていれば、ＥＩＴに記述された当該番組のstart timeとが一致することによって同時放送中であることがわかる。あるいは、shift time３９に当該ディジタルＢＳ放送の番組の開始時刻との差が０として記述されている場合には、上記start timeと比較することなく同時放送中であることがわかる。そして、上記ＢＥＲがある閾値以上になると、制御部６０は、ＥＰＧソフトによって映像合成部６６で同一番組を伝送路を切り替えて放送する旨をＥＰＧ画面上に書き込ませ、これを映像表示部６７が画面表示する。また、ディジタルＢＳ放送における当該番組が含まれるトランスポートストリームの受信を、ＢＳ受信部５１に開始させ、ＢＳ復調部５２には当該ＴＳの信号のディジタル変調を復調させ、ＢＳ−ＦＥＣ部５３にはそのビット誤りを訂正させるとともに、ＢＳ−ＰＳＩ抽出部５４には該トランスポートストリームからＰＳＩを抽出させる。また、セレクタ６１にはトランスポートデコード部６２への出力をＢＳ−ＰＳＩ抽出部５４からのものに切り替えさせる。上記ＰＳＩにより、トランスポートデコード部６２はＰＩＤフィルタを設定して、上記番組の映像および音声のパケットを抽出し、映像デコード部６３および音声デコード部６４で復号して、ディジタルＢＳ放送の１０３ｃｈで当該番組の放映が開始される。
【００３５】
なお、上記のように、ＢＥＲがある閾値以上になったとき、自動的に同時放送番組に切り替えるのではなく、視聴者に切り替えを促すようにしてもよいことは言うまでもない。
このようにして、視聴者は視聴している伝送路での受信状態が悪くなったとき、受信状態の良い別の伝送路に切り替えて、同時放送されている番組を視聴することができる。
【００３６】
（実施例５）
実施例５では受信状態によって異なる伝送路で同時放送される同一番組のいずれかを選択して視聴または録画を開始するものについて説明する。
視聴者がディジタルＢＳ放送のある番組を録画するとき、リモコンなどによって当該番組を録画予約すると、入力部５９は選択内容を制御部６０に出力する。制御部６０はこの選択内容を受けて、録画時刻の数十から数秒前になると、ＢＳ受信部５１に当該番組が含まれるトランスポートストリームの信号の受信を指示するとともに、ＢＳ復調部５２に該信号のディジタル変調を復調させ、ＢＳ−ＦＥＣ部にビット誤りを訂正させ、ＢＳ−ＰＳＩ抽出部５４には該トランスポートストリームからＰＳＩを抽出させる。また、セレクタ６１にはトランスポートデコード部６２への出力をＢＳ−ＰＳＩ抽出部５４からのものに切り替えさせると、トランスポートデコード部６２ではＳＩの中の当該番組が記述されたＥＩＴを抽出する。このとき、ＢＳ復調部５２で、受信状態（ＢＥＲ：ビットエラーレート）をチェックする。また、制御部６０は、上記抽出されたＥＩＴからevent link descriptor を解析し、同一番組がどこで同時放送されているかという情報（たとえば地上波ディジタル放送の７８ｃｈで同時放送中）を認識する。これによって制御部６０は地上波ディジタル放送における当該番組が含まれるトランスポートストリーム（ＴＳ）の受信を、地上波受信部５５に開始させ、地上波復調部５６には当該ＴＳの信号のディジタル変調を復調させ、地上波ＦＥＣ部５７にはそのビット誤りを訂正させ、ＢＳ−ＰＳＩ抽出部５４には該トランスポートストリームからＰＳＩを抽出させる。このときも、地上波復調部５６で、受信状態をチェックする。そして、制御部６０は、ＢＳ復調部５２および地上波復調部５６でチェックしたＢＥＲを比較して、受信状態の良い（ＢＥＲの小さい）伝送路で放送される番組を録画させる。たとえば、地上波ディジタル放送の方が良ければ、セレクタ６１にトランスポートデコード部６２への出力を地上波ＰＳＩ抽出部５８からのものに切り替えさせる。トランスポートデコード部６２は地上波ＰＳＩ抽出部５８で抽出されたＰＳＩに基づいて、ＰＩＤフィルタを設定して、上記番組の映像および音声のパケットを抽出し、映像デコード部６３および音声デコード部６４で復号して当該番組の放映が開始され、地上波ディジタル放送の７８ｃｈで放送される番組が録画される。
【００３７】
また、視聴者がある番組を視聴するときは、前もってevent link descriptor を抽出して、同時放送番組のＢＥＲを比較することはできないが、その他は上記録画時と同様に動作する。さらに、実施例４のように、伝送路を切り替えて放送する旨をＥＰＧ画面上に書き込ませ、これを画面表示するものとしてもよい。
【００３８】
このようにして、視聴者は複数の同時放送番組のうち受信状態の良いほうを自動的に選択して、録画または視聴を開始することができ、録画に失敗することがない。
【００３９】
なお、上記実施例１〜５において、ディジタルＢＳ放送による番組を視聴者が選択して、ディジタルＢＳ放送のトランスポートストリームのＥＩＴからevent link descriptor を抽出して、タイムシフト番組あるいは同時放送番組の所在を取得して、地上波ディジタル放送で放送されるタイムシフト番組あるいは同時放送番組に切り替えて、視聴または録画する場合について説明したものは、逆に地上波ディジタル放送からディジタルＢＳ放送への切り替えの場合にも、全く同様に説明されるものである。また、ディジタルＢＳ放送や地上波ディジタル放送以外のディジタルＣＳ放送などの伝送路から、ディジタルＢＳ放送や地上波ディジタル放送への切り替えや、その逆も行なわれ、上記実施例１〜５と同様の効果を得ることが可能である。さらに、実施例１，３〜５においても、実施例２のようにディジタル放送においてアナログ放送による同一番組とのリンク情報を提供することができる。
【００４０】
【発明の効果】
以上のように、本発明（請求項１）にかかる受信装置によれば、ディジタル放送の一の伝送路により送信側から放送される、番組の映像と、当該伝送路以外の伝送路で放送される当該番組の同一番組を特定する同一番組特定情報をイベント情報テーブル（ＥＩＴ）に配置した番組配列情報（ＳＩ）とを受信する受信装置において、複数の伝送路からの放送信号を受信する受信手段と、前記複数の伝送路のうち、第１の伝送路により放送される番組に含まれる第１のイベント情報テーブル（ＥＩＴ）を抽出するトランスポートデコード手段と、前記第１のイベント情報テーブルから第１の同一番組特定情報を取得する制御手段とを備え、前記制御手段は、前記第１の伝送路により放送される番組から選択された第１の番組が、既予約番組と時間的に重複するか否かを、当該第１の番組に含まれるＰＳＩを基に判断し、重複したと判断された場合、前記複数の伝送路のうち前記第１の伝送路とは異なる第２の伝送路により放送される番組に含まれるイベント情報テーブルと、前記第１の同一番組特定情報とに基づいて、既予約番組と時間的に重複しない同一番組の存在を確認し、前記同一番組が、前記第２の伝送路により放送される番組中に存在すると確認された場合、前記同一番組の録画予約を自動的に行うものとしたことから、ディジタル放送において送信側から前記第１の伝送路により放送される番組と同一番組が、既に予約されている予約番組と時間的に重複していたとしても、再度、前記同一番組特定情報に基づいて、予約番組と時間的に重複しない同一番組を、前記第１の伝送路とは異なる前記第２の伝送路により放送される番組から検索し、検索された同一番組を自動的に録画予約できるという効果がある。
【００４１】
また、本発明（請求項２）にかかる受信装置によれば、請求項１に記載の受信装置において、前記番組の映像または前記制御手段で取得された前記同一番組特定情報より抽出した情報を配置して画面を作成する映像合成手段をさらに有し、前記制御手段は、選択された番組が既予約番組と時間的に重複するか否かを判断し、重複したとき前記同一番組特定情報に基づいて、既予約番組と時間的に重複しない同一番組の存在を確認し、前記同一番組が存在するとき、前記映像合成手段は、前記同一番組の選択への切り替えを促すメッセージを表示するものとしたことから、ディジタル放送において送信側から放送される番組と同一番組が、既に予約されている予約番組と時間的に重複していたとしても、再度、上記同一番組特定情報に基づいて、予約番組と時間的に重複しない同一番組を検索し、切替えを促すメッセージの表示をすることができるという効果がある。
【図面の簡単な説明】
【図１】  本発明の実施の形態によるディジタル放送方法における送信側の構成の概略を示すブロック図である。
【図２】  図１における番組配列情報生成部の構成を示すブロック図である。
【図３】  本発明の実施の形態によるディジタル放送方法において送信する番組配列情報のＥＩＴに配置するデータの構造を示す図である。
【図４】  本発明の実施の形態におけるディジタル放送受信装置の構成を示すブロック図である。
【符号の説明】
１１  番組配列情報生成部
１２  映像生成部
１３  音声生成部
１４  多重化部
１５  変調器
１６  アンテナ
２１  event link descriptor 生成部
２２  その他のdescriptor生成部
２３  ＥＩＴ生成部
２４  その他のテーブル生成部
２５  ＳＩ多重化部
３１  event link descriptor
３２  社団法人電波産業会の規格によるevent link descriptor
３３  area code
３４  link media id
３５  link network id
３６  link transportstream id
３７  link service id
３８  link event id
３９  shift time
４０  analog channel number
５１  ＢＳ受信部
５２  ＢＳ復調部
５３  ＢＳ−ＦＥＣ部
５４  ＢＳ−ＰＳＩ抽出部
５５  地上波受信部
５６  地上波復調部
５７  地上波ＦＥＣ部
５８  地上波ＰＳＩ抽出部
５９  入力部
６０  制御部
６１  セレクタ
６２  トランスポートデコード部
６３  映像デコード部
６４  音声デコード部
６５  音声出力部
６６  映像合成部
６７  映像表示部
【図１】
0004148371.tif 000002
【図２】
0004148371.tif 000003
【図３】
0004148371.tif 000004
【図４】
0004148371.tif 000005